(57)【要約】【課題】保持対象を容易に仮止め状態で保持することが可能なブラケットを提供する。【解決手段】ブラケット１００は、保持対象であるレール２０の鍔部２２を協働して係止可能な固定フック部１１２、１２２及び可動フック部１１４、１２４と、固定フック部１１２、１２２及び可動フック部１１４、１２４の相対移動を可能に支持するベース部１１６、１２６と、を備え、固定フック部１１２、１２２及び可動フック部１１４、１２４は、レール２０を係止している第１状態と、レール２０を受け入れるために離間している第２状態との間で相対移動可能であり、可動フック部１１４、１２４は、自重によって第１状態となるようにベース部１１６、１２６に支持されて構成される。このような構成により、保持対象を容易に仮止め状態で保持することが可能である。【選択図】図６
2018164639.tif 000002
【特許請求の範囲】
【請求項１】
保持対象を協働して保持可能な第１保持部及び第２保持部と、
前記第１、第２保持部を相対移動可能に支持するベース部と、
を備え、
前記第１、第２保持部は、前記保持対象を保持している第１状態と、前記保持対象を受け入れるために離間している第２状態との間で相対移動可能であり、
前記第１、第２保持部の少なくとも一方は、自重によって前記第１状態となるように前記ベース部に支持されることを特徴とする、ブラケット。
【請求項２】
前記ベース部は、前記第１保持部から略垂直な方向に延在しており、
前記第２保持部には、前記第２保持部と一体的に形成される垂直片が形成され、
前記ベース部と前記垂直片とが遊嵌状態で連結されることで前記第１、第２保持部が相対移動可能であることを特徴とする、請求項１に記載のブラケット。
【請求項３】
前記遊嵌状態は、前記ベース部と前記垂直片との間に設けた締結手段によって形成され、
前記締結手段によって、前記ベース部と前記垂直片とが固定可能であることを特徴とする、請求項２に記載のブラケット。
【請求項４】
前記ベース部には、取付先に取付けるための取付部材が設けられており、
前記ベース部と前記取付部材とは、角度調整自在に設けられることを特徴とする、請求項１〜３のいずれかに記載のブラケット。
【請求項５】
前記保持対象は、遮蔽部材を開閉可能に保持するレールであり、
前記第１、第２保持部は、前記レールに設けられた鍔部を係止することを特徴とする、請求項１〜４のいずれかに記載のブラケット。
【発明の詳細な説明】
【技術分野】
【０００１】
本発明はブラケットに関し、特に、カーテンなど遮蔽装置のレールを保持するのに適したブラケットに関する。
【背景技術】
【０００２】
従来のレール取付用ブラケットとしては、実公昭５１−５０１７２号公報（特許文献１）に示されるものがある。同文献には、取付板の一側片を折曲してレール抱持片を形成すると共に相対向する側片をレール抱持片側へ折曲して段部を形成し、レール抱持片と反対方向に折曲して支持片を形成し、支持片の端片を立上げて当止片部を形成したものを固定具とし、保持板部の側片を折曲してレール係止片を形成したものを保持具とし、固定具に保持具を回動自在に保持させ、支持板部と保持板部とをビス止めすることで保持具を固定具の当止片部に当止し、保持具の回動を阻止した状態で固定具に保持具を固定できることが開示される。
【０００３】
これにより、カーテンレールを固定具の抱持片に抱持した状態で、保持具のレール係止片をカーテンレールに係止させてビスを締めることで、保持具の保持板部は固定具の当止片部に入り、保持具は回動しようとしても保持板部が固定具の当止片に当たって回動することはなく、カーテンレールを強固に取付けることができるという特徴がある。
【先行技術文献】
【特許文献】
【０００４】
【特許文献１】実公昭５１−５０１７２号公報
【発明の概要】
【発明が解決しようとする課題】
【０００５】
しかしながら、カーテンレールの一端を固定具の抱持片に抱持した状態で、カーテンレールの他端を保持具のレール係止片に係止させた状態においては、レール係止片は自重によってレールから離間する方向に移動しようとするため、ネジで締め付けるまではカーテンレールを手で支えておく必要があり、仮止め状態で保持することは難しいという課題があった。
【０００６】
そこで本発明は、このような問題に鑑みてなされたもので、その目的とするところは、保持対象を容易に仮止め状態で保持することが可能なブラケットを提供することにある。
【課題を解決するための手段】
【０００７】
上記課題を解決するために、本発明によれば、保持対象を協働して保持可能な第１保持部及び第２保持部と、前記第１、第２保持部を相対移動可能に支持するベース部と、を備え、前記第１、第２保持部は、前記保持対象を保持している第１状態と、前記保持対象を受け入れるために離間している第２状態との間で相対移動可能であり、前記第１、第２保持部の少なくとも一方は、自重によって前記第１状態となるように前記ベース部に支持されることを特徴とする、ブラケットが提供される。
【０００８】
かかる構成によれば、第１、第２保持部の少なくとも一方は自重によって常に第１、第２保持部で協働して保持対象を保持する状態である第１状態となるようベース部に支持されるため、保持対象を第１保持部と第２保持部との間に挿入するだけで仮止め状態で保持することができる。また、位置調整が必要な保持対象であっても、容易に位置調整を行うことができる。
【０００９】
本発明は様々な応用が可能である。以下の応用例は適宜組み合わせることが可能である。
例えば、前記ベース部は、前記第１保持部から略垂直な方向に延在しており、前記第２保持部には、前記第２保持部と一体的に形成される垂直片が形成され、前記ベース部と前記垂直片とが遊嵌状態で連結されることで前記第１、第２保持部が相対移動可能であるようにしてもよい。かかる構成によれば、第２保持部と一体的に形成される垂直片が、第１保持部から略垂直な方向に延在するベース部に遊嵌状態で連結されるため、少ない部品で仮止め可能である。
【００１０】
また、前記遊嵌状態は、前記ベース部と前記垂直片との間に設けた締結手段（例えば、ネジやボルトやナット）によって形成され、前記締結手段によって、前記ベース部と前記垂直片とが固定可能であるようにしてもよい。かかる構成によれば、仮止めした後に必要に応じて締結手段でベース部と垂直片とを固定することができる。また、締結手段が例えばネジと内周面にネジ山が形成された螺合孔であると、螺合孔に対するネジの移動量を調整することによって、ベース部と垂直片との遊嵌状態を容易に実現することができる。
【００１１】
また、前記ベース部には、取付先（固定面）に係合可能な係合部材が取付けられており、前記ベース部と前記係合部材とは、角度調整自在に連結されるようにしてもよい。
かかる構成によれば、ベース部と係合部材（例えば、取付先がパイプであれば、パイプブラケットなど）とを角度調整自在に連結することで、取付先（例えばパイプ）の設置角度によってベース部の向きを変更することで、保持対象（例えば、遮蔽部材を開閉可能に保持するレール）を水平に支持することができる。
【００１２】
本発明はさまざまな保持対象に適用することができるが、特に、前記保持対象は、遮蔽部材を開閉可能に保持するレールであり、前記第１、第２保持部は、前記レールに設けられた鍔部を係止するようにしてもよい。
【発明の効果】
【００１３】
本発明によれば、保持対象を容易に仮止め状態で保持することが可能である。本発明のその他の効果については、後述する発明を実施するための形態においても説明する。
【図面の簡単な説明】
【００１４】
【図１】第１の実施形態のブラケット１００が用いられた園芸施設１０のカーテン３０を閉じた状態における全体構成を示す斜視図である。
【図２】カーテン３０を閉じた状態を示す図であり、（ａ）は正面図であり、（ｂ）は側面図である。
【図３】レールジョイント６０を用いて長手方向に複数のレール２０を接合した状態を示す側面図である。
【図４】レールジョイント６０の斜視図である。
【図５】レールジョイント６０で２つのレールを接合した状態を説明するための図であり、（ａ）は２つのレール２０をレールジョイント６０で接合した状態を示す部分断面図であり、（ｂ）はレール２０をレールジョイント６０で接合した状態を示す断面図である。
【図６】天頂部用ブラケット１１０の構成を説明するための図であり、（ａ）は天頂部用ブラケット１１０の分解斜視図であり、（ｂ）は組み立てられた状態の天頂部用ブラケット１１０の斜視図である。
【図７】天頂部用ブラケット１１０に中央レール２０−１を取付ける手順を説明するための示す図であり、（ａ）は取り付ける前の状態を示す断面図であり、（ｂ）は固定フック部１１２に中央レール２０−１の一方の鍔部２２を係止した状態を示す側面図であり、（ｃ）は可動フック部１２４に中央レール２０−１の他方の鍔部２２を仮止めした状態を示す側面図であり、（ｄ）は天頂部用ブラケット１１０に中央レール２０−１を固定した状態を示す側面図である。
【図８】肩部用ブラケット１２０の構成を説明するための図であり、（ａ）は肩部用ブラケット１２０の斜視図であり、（ｂ）はベース部１２６とパイプブラケット１２９とが水平な状態を示す側面図であり、（ｃ）はベース部１２６がパイプブラケット１２９に対して傾いた状態を示す側面図である。
【図９】肩部用ブラケット１２０に端部レール２０−２、２０−３を取付ける手順を説明するための示す図であり、（ａ）は肩部用ブラケット１２０にレール２０を取り付ける前の状態を示す断面図であり、（ｂ）は固定フック部１２２にレール２０の一方の鍔部２２を係止した状態を示す側面図であり、（ｃ）は可動フック部１２４にレール２０の他方の鍔部２２を仮止めした状態を示す側面図であり、（ｄ）は肩部用ブラケット１２０にレール２０を固定した状態を示す側面図である。
【図１０】カーテン３０の開閉動作を説明するための図であり、（ａ）はカーテン３０が閉じられた状態を示す側面図であり、（ｂ）はカーテン３０の開閉途中の状態を示す側面図であり、（ｃ）はカーテン３０が開かれた状態を示す側面図である。
【図１１】カーテン３０の開閉途中の状態であり、カーテン３０の一部が畳み込まれた状態を示す斜視図である。
【発明を実施するための形態】
【００１５】
以下に添付図面を参照しながら、本発明の好適な実施形態について詳細に説明する。なお、本明細書及び図面において、実質的に同一の機能構成を有する構成要素については、同一の符号を付することにより重複説明を省略する。
【００１６】
本発明の一実施形態について説明する。本実施形態ではブラケット１００を、園芸施設１０に用いた例について説明する。まず、本実施形態に係るブラケット１００が用いられた園芸施設１０の全体構成について、図１及び図２を参照しながら説明する。図１は、本実施形態のブラケット１００が用いられた園芸施設１０のカーテン３０を閉じた状態における全体構成を示す斜視図である。図２は、カーテン３０を閉じた状態を示す図であり、（ａ）は正面図であり、（ｂ）は側面図である。
【００１７】
本実施形態に係るブラケット１００が用いられた園芸施設１０は、図１及び図２に示したように、長手方向に平行に整列する複数のアーチフレーム１２と、アーチフレーム１２を奥行方向に連結する３本の母屋フレーム１４と、を備えて構成されている。通常、アーチフレーム１２の外周は、図示していないビニールシートによって覆われる。アーチフレーム１２の天井部分の形状は、図１及び図２に示したような山形である。母屋フレーム１４は、アーチフレーム１２の山形の頂点の近傍と、山形の両端に配設される。なお、本明細書において「山形」というときには、特に断りがない限り、両端から中央に向かって実質的に高さが増加する形態をいい、略への字型、アーチ形、円弧状などを含む。必ずしも左右対称でなくてもよい。
【００１８】
園芸施設１０には、図１に示したように、ブラケット１００によって園芸施設１０に取付けられるカーテンのレール（支持部材）２０と、レール２０に沿って開閉するカーテン３０と、カーテン３０をレール２０に開閉可能に連結するランナー４０と、カーテン３０の開閉を操作する操作手段５０と、が設けられる。
【００１９】
（レール２０）
レール２０は、園芸施設１０にカーテン３０を開閉可能に取り付けるための支持部材である。レール２０は、図１に示したように、園芸施設１０の複数箇所（本実施形態では３箇所）に設けられている母屋フレーム１４に沿ってブラケット１００によって固定されている。レール２０は、長尺状であり、母屋フレーム１４とほぼ同様の長さに構成されている。レール２０は、母屋フレーム１４に沿って、園芸施設１０の奥行き方向に延びるように配置される。本実施形態では園芸施設１０の頂点部の母屋フレーム１４とアーチフレーム１２に固定されている。
【００２０】
図２（ａ）に示したように、アーチフレーム１２の山形の頂点近傍である園芸施設１０の中央に配置される母屋フレーム１４に沿って中央レール２０−１が配置される。中央レール２０−１は、図２（ｂ）に示したように、長手方向の複数個所において後述する天頂部用ブラケット１１０によって母屋フレーム１４に固定される。中央レール２０−１は後述する中央ランナー４０−１が下向きになるように配置される。
【００２１】
また、図２（ａ）に示したように、アーチフレームの山形の両端である園芸施設１０の両端に配設される母屋フレーム１４に沿って端部レール２０−２、２０−３が配置される。端部レール２０−２、２０−３は、図２（ｂ）に示したように、長手方向の複数個所において後述する肩部用ブラケット１２０によってアーチフレーム１２に固定される。端部レール２０−２、２０−３は後述する端部ランナー４０−２、４０−３が対向するように配置される。なお、中央レール２０−１、端部レール２０−２、２０−３を総称するときには、レール２０という。
【００２２】
（カーテン３０）
カーテン３０は、園芸施設１０内の天井部分を開放したり閉鎖したりするものである。カーテン３０は、図１に示したように、園芸施設１０の奥行方向全長にわたって、アーチフレーム１２に沿って設けられる。カーテン３０は、図２に示したように、幅方向の中央部が中央レール２０−１に設けられる後述する中央ランナー４０−１に連結され、幅方向の両端部が端部レール２０−２、２０−３に設けられる後述する端部ランナー４０−２、４０−３に連結される。このように、カーテンは、園芸施設１０の天井全体を覆うことができる。
【００２３】
また、カーテン３０は、図１に示したように、幅方向の中央部と両端部に円形の中央開口部３２−１と、端部開口部３２−２、３２−３とが奥行方向にわたって所定間隔毎に複数形成されている。開口部３２−１、３２−２、３２−３の周囲はハトメが設けられて補強されている。
【００２４】
カーテン３０は、図２（ａ）に示したように、中央開口部３２−１が前述のように中央レール２０−１の中央ランナー４０−１に連結されている。また、カーテン３０の両端部の端部開口部３２−２、３２−３は、端部レール２０−２、２０−３の端部ランナー４０−２、４０−３に連結されている。カーテン３０は、図２（ｂ）に示したように、園芸施設１０の奥行き方向複数箇所でランナー４０に支持されている。
【００２５】
（ランナー４０）
ランナー４０は、カーテン３０をレール２０に開閉可能に連結する案内部材である。ランナー４０は、図１に示したように、レール２０に複数設けられており、レール２０に沿って走行可能である。ランナー４０は、図２（ａ）に示したように、中央レール２０−１に設けられる中央ランナー４０−１と、端部レール２０−２、２０−３に設けられる端部ランナー４０−２、４０−３を備える。なお、ランナーを総称するときは、ランナー４０という。
【００２６】
中央ランナー４０−１は、図２（ａ）に示したように、中央レール２０−１に垂下するように配置され、中央ランナー４０−１から中央ランナー用フック４２が吊り下げられている。中央ランナー用フック４２は、後述するカーテン３０の中央開口部３２−１に揺動自在材に係止される。
【００２７】
端部ランナー４０−２、４０−３は、図２（ａ）に示したように、端部レール２０−２、２０−３に互いに対向するように配置され、端部ランナー４０−２、４０−３にはチェーン４４が接続されている。チェーン４４は、カーテン３０の端部開口部３２−２、３２−３と連結フック４６により連結される。チェーン４４は、複数の環状部４４ａが連結されて長尺状に構成されており、チェーン４４の任意の環状部４４ａとカーテン３０の端部開口部３２−２、３２−３とが連結フック４６により連結されることにより、カーテン３０と端部ランナー４０−２、４０−３とは、カーテン３０の幅方向の端部と端部レール２０−２、２０−３との相対位置が調整されるように連結される。
【００２８】
（操作手段５０）
操作手段５０は、カーテン３０の開閉を操作するものである。操作手段５０は、図１に示したようにカーテン３０の開閉の起端部に設けられている。カーテン３０は、操作手段５０によって開閉が操作される。操作手段５０は、図２（ａ）に示したように、３つの牽引部５２、５４、５６と操作部５８により構成されている。中央の牽引部５２の一端は、カーテン３０の中央開口部３２−１に連結され、両端の牽引部５４、５６の一端はカーテン３０の両端部の端部開口部３２−２、３２−３に連結されている。
【００２９】
また、３つの牽引部５２、５４、５６の他端同士と操作部５８の一端部とは連結されている。操作部５８の他端は自由端であり、操作部５８を把持して操作手段５０を操作することにより、カーテン３０を開閉することができる。３つの牽引部５２、５４、５６の他端同士の連結部の高さは、端部レール２０−２、２０−３の高さよりも上方に設けられる。操作手段５０は、本実施形態ではチェーンで構成されているが、紐やベルトなどで構成されてもよい。
【００３０】
次に、園芸施設１０の大きさに応じて、レール２０の長さを合わせる場合について図３〜図５を参照しながら説明する。図３は、レールジョイント６０を用いて長手方向に複数のレール２０を接合した状態を示す側面図である。図４は、レールジョイント６０の斜視図である。図５は、レールジョイント６０で２つのレールを接合した状態を説明するための図であり、（ａ）は２つのレール２０をレールジョイント６０で接合した状態を示す部分断面図であり、（ｂ）はレール２０をレールジョイント６０で接合した状態を示す断面図である。
【００３１】
レール２０は、図３に示したように、園芸施設１０の大きさに応じて複数連結して長さを延ばして用いられる。すなわち、複数のレール２０を長手方向に配置して、隣り合うレール２０の端部同士をレールジョイント６０で連結して接合し、接合するレール２０の数によって長さを調整する。
【００３２】
ここで、隣り合うレール２０同士を接合するレールジョイント６０について、図４及び図５を参照しながら説明する。レールジョイント６０は、図４に示したように、後述するレール２０の上部の前後の側縁に形成される鍔部２２を支持する前後の鍔部支持部６２と、前後の鍔部支持部６２を連結する支持部連結部６４と、後述するレール２０の下端部２０ａを支持するレール下端支持部６６と、レールジョイント６０をレール２０に固定する固定用蝶ネジ６８と、を備えて構成される。
【００３３】
鍔部支持部６２は、図４に示したように、支持部連結部６４の長手方向両端部の前後に４つ設けられる。鍔部支持部６２は、支持部連結部６４の両側縁部から下方にＵ字状に折り曲げられて構成されている。鍔部支持部６２は、図５に示したように、Ｕ字状の内部にレール２０の鍔部２２が挿入されることにより、鍔部２２を支持する。鍔部２２は、鍔部支持部６２内に鍔部支持部６２の端部からスライドさせて挿入される。４つの鍔部支持部６２は、図５（ａ）に示したように、支持部連結部６４の左端部に設けられる前後２つの鍔部支持部６２Ｌが、接合される２つのレール２０のうちの左側のレール２０Ｌの鍔部２２Ｌを支持し、右端部に設けられる前後２つの鍔部支持部６２Ｒが右側のレール２０Ｒの鍔部２２Ｒを支持する。
【００３４】
支持部連結部６４は、図４に示したように、長手方向両端部の両側縁に鍔部支持部６２が形成されており、長手方向両端部の鍔部支持部６２の間の両側縁にレール下端支持部６６が形成されている。また、支持部連結部６４は、図５に示したように、レール２０の上面に対応する平板状の形状をしている。支持部連結部６４の長手方向両端部近傍には、固定用蝶ネジ６８が螺合するネジ穴６４ａが形成されている。
【００３５】
レール下端支持部６６は、図４に示したように、支持部連結部６４の長手方向両端部の鍔部支持部６２の間において、支持部連結部６４の両側縁から下方に延びて形成されている。レール下端支持部６６の下端は、図５（ｂ）に示したように、レール２０の下端部２０ａに沿って互いに接近する方向に屈曲している。
【００３６】
固定用蝶ネジ６８は２つ設けられており、図５（ａ）に示したように、支持部連結部６４の長手方向両端部近傍のネジ穴６４ａにそれぞれ螺合している。固定用蝶ネジ６８の先端は平面であり、レール２０の上面に当接して、レールジョイント６０とレール２０とを固定する。２つの固定用蝶ネジ６８は、隣り合う別のレール２０Ｌ、２０Ｒをそれぞれ固定する。
【００３７】
図５（ａ）を参照しながら、レールジョイント６０による隣り合う２つのレール２０Ｌ、２０Ｒの連結方法を説明する。まず、左側のレール２０Ｌの鍔部２２Ｌを左端部から左側の鍔部支持部６２Ｌにスライドさせて挿入し、レール２０Ｌの下端部２０ａがレール下端支持部６６に支持される位置となるレールジョイント６０の長手方向中間位置付近までスライドさせる。次に、右側のレール２０Ｒを左側のレール２０Ｌと同様に、右端部から右側の鍔部支持部６２Ｒにスライドさせて挿入し、レール２０Ｒの下端部２０ａがレール下端支持部６６に支持されるとともに、左側のレール２０Ｌの端部に当接するまでスライドさせる。
【００３８】
そして、２つの固定用蝶ネジ６８をネジ穴６４ａにねじ込んで、２つのレール２０Ｌ、２０Ｒとレールジョイント６０とを固定する。このようにして、２つのレール２０Ｌ、２０Ｒが連結される。複数のレール２０を上記と同様の方法で連結することにより、レール２０をさらに延ばすことができる。
【００３９】
以上、ブラケット１００が用いられる園芸施設１０、レール２０、及びレール２０に取付けられるカーテン３０について説明した。以下、本実施形態に特徴的な構成要素であるブラケット１００の詳細について図６〜図９を参照しながら説明する。図６は、天頂部用ブラケット１１０の構成を説明するための図であり、図７は、天頂部用ブラケット１１０に中央レール２０−１を取付ける手順を説明するための示す図である。図８は、肩部用ブラケット１２０の構成を説明するための図であり、図９は、肩部用ブラケット１２０に端部レール２０−２、２０−３を取付ける手順を説明するための示す図である。
【００４０】
（ブラケット１００）
ブラケット１００は、前述のようにアーチフレーム１２の山形の頂点近傍である園芸施設１０の中央に配置される母屋フレーム１４に沿って配置される中央レール２０−１を母屋フレーム１４に取付ける天頂部用ブラケット１１０と、アーチフレームの山形の両端である園芸施設１０の両端に配設される母屋フレーム１４に沿って配置される端部レール２０−２、２０−３をアーチフレーム１２に取付ける肩部用ブラケット１２０と、を備える。図１に示したように、天頂部用ブラケット１１０は中央レール２０−１を上から保持し、肩部用ブラケット１２０は、端部レール２０−２、２０−３を横から保持するものである。
【００４１】
（天頂部用ブラケット１１０）
まず、図６を参照しながら天頂部用ブラケット１１０の構成について説明する。図６は、前述のように、天頂部用ブラケット１１０の構成を説明するための図であり、（ａ）は天頂部用ブラケット１１０の分解斜視図であり、（ｂ）は組み立てられた状態の天頂部用ブラケット１１０の斜視図である。
【００４２】
天頂部用ブラケット１１０は、図６に示したように、保持対象である中央レール２０−１の鍔部２２を協働して係止（保持）可能な固定フック部（第１保持部）１１２及び可動フック部（第２保持部）１１４と、固定フック部１１２及び可動フック部１１４の相対移動を可能に支持するベース部１１６と、を備えている。固定フック部１１２及び可動フック部１１４は、中央レール２０−１を係止している第１状態と、中央レール２０−１を受け入れるために離間している第２状態との間で相対移動可能である。可動フック部１１４は、自重によって第１状態となるようにベース部１１６に支持されて構成される。以下、天頂部用ブラケット１１０の各部の構成について説明する。
【００４３】
（固定フック部１１２）
固定フック部１１２は、中央レール２０−１の一方の側縁の鍔部２２を係止するものである。固定フック部１１２は、図６（ａ）に示したように、方形の平板状の部材を折り曲げ加工して構成されており、Ｕ字状に折り曲げられてフックを構成している。
【００４４】
（可動フック部１１４）
可動フック部１１４は、中央レール２０−１の他方の側縁の鍔部２２を係止するものである。可動フック部１１４は、図６（ａ）に示したように、方形の平板状の部材を折り曲げ加工して構成されており、先端がＵ字状に折り曲げられてフックを構成している。
【００４５】
可動フック部１１４には、可動フック部１１４と一体的に形成される垂直片１１４ａが形成されている。垂直片１１４ａには、バーリング加工によりネジ（締結手段）１１７が螺合可能なネジ山を内周面に有する可動フック部側ネジ螺合孔１１４ｂが形成されている。ネジ１１７を回すことで、ネジ１１７の軸部１１７ａは垂直片１１４ａとの軸方向の相対移動のみが許容されている。
【００４６】
さらに、軸部１１７ａの端部には外れ止め１１７ｃが設けられている。外れ止め１１７ｃは、軸部１１７ａよりも大径の部分を有しており、ネジ１１７が可動フック部側ネジ螺合孔１１４ｂから脱落することを防止している。垂直片１１４ａをベース部１１６に対して相対移動させる際には、図６（ａ）に示したように、垂直片１１４ａが外れ止め１１７ｃに当接する位置よりも手前となるようにネジ１１７の移動量を調整し、垂直片１１４ａとベース部１１６との間にクリアランスが生じる状態にて行う。外れ止め１１７ｃによって、可動フック部側ネジ螺合孔１１４ｂからのネジ１１７の脱落が規制されることで、垂直片１１４ａがベース部１１６から脱落してしまうことが防止される。
【００４７】
さらに、垂直片１１４ａには、両側縁から垂直方向に突出する規制部１１４ｃが形成されている。規制部１１４ｃは、垂直片１１４ａが後述するベース部１１６に連結された際に、ベース部１１６の両側部に配置され、垂直片１１４ａとベース部１１６との相対回転を規制する。
【００４８】
（ベース部１１６）
ベース部１１６は、固定フック部１１２と可動フック部１１４を相対移動を可能に支持するものである。ベース部１１６は、図６（ａ）に示したように、固定フック部１１２から略垂直な方向に延在しており、ネジ１１７が挿通するベース部側ネジ挿通孔１１６ａが形成されている。ベース部側ネジ挿通孔１１６ａは、ネジ１１７の軸部１１７ａよりも大径であるが、頭部１１７ｂよりも小径であるため、ネジ１１７はベース部側ネジ挿通孔１１６ａに対して移動可能である。
【００４９】
また、ベース部１１６には、後述するパイプブラケット１１９と連結するためのボルト１１８が挿通するベース部側ボルト挿通孔１１６ｂが形成されている。ベース部側ボルト挿通孔１１６ｂは、ベース部側ネジ挿通孔１１６ａの上部に形成されており、ボルト１１８とほぼ同径である。よって、ベース部１１６がボルト１１８に対して移動することはない。
【００５０】
さらに、ベース部１１６には、両側縁から垂直方向に突出する規制部１１６ｃが形成されている。規制部１１６ｃは、図６（ａ）に示したように、ベース部１１６がパイプブラケット１１９に連結された際に、パイプブラケット１１９の両側部に配置され、ベース部１１６とパイプブラケット１１９との所定角度以上の相対回転を規制する。
【００５１】
（パイプブラケット１１９）
パイプブラケット１１９は、天頂部用ブラケット１１０の取付先であるパイプ状の母屋フレーム１４に取付け可能な取付部材である。パイプブラケット１１９は、図６（ａ）に示したように、パイプ状の母屋フレーム１４に沿った円筒状の形状であり、母屋フレーム１４に外周面を覆うように係合する係合部１１９ａと、ベース部１１６と角度調整自在に連結される連結部１１９ｂとを備える。
【００５２】
係合部１１９ａは、半円弧状の２つの第１係合部１１９ａ−１と第２係合部１１９ａ−２との一端同士がヒンジ１１９ｃによって開閉可能に連結されて円筒状に構成されている。連結部１１９ｂは、平板状の２つの第１連結部１１９ｂ−１、第２連結部１１９ｂ−２が第１、第２係合部１１９ａ−１、１１９ａ−２の他端から延びて構成されている。第１、第２連結部１１９ｂ−１、１１９ｂ−２には、ボルト１１８が挿通するパイプブラケット側ボルト挿通孔１１９ｄ−１、１１９ｄ−２が形成されている。パイプブラケット側ボルト挿通孔１１９ｄ−１、１１９ｄ−２は、ボルト１１８とほぼ同径である。
【００５３】
以上、天頂部用ブラケット１１０の各部の構成について説明した。次に、図６（ｂ）を参照しながら組み立てられた天頂部用ブラケット１１０について説明する。
【００５４】
固定フック部１１２と可動フック部１１４とは、ベース部１１６と垂直片１１４ａとが当接するように配置される。垂直片１１４ａの規制部１１４ｃが、ベース部１１６の両側部に配置され、垂直片１１４ａとベース部１１６との相対回転が規制された状態になる。ベース部側ネジ挿通孔１１６ａと可動フック部側ネジ螺合孔１１４ｂとにネジ１１７の軸部１１７ａが挿通される。
【００５５】
ネジ１１７が完全に締め付けられる前の状態では、ベース部側ネジ挿通孔１１６ａが軸部１１７ａよりも大径であるため、軸部１１７ａがベース部１１６に対して遊嵌状態になる。一方、ネジ１１７は可動フック部側ネジ螺合孔１１４ｂとの螺合によって相対移動が規制されているため、垂直片１１４ａは軸部１１７ａと一体に移動する。よって、ベース部１１６と垂直片１１４ａとは遊嵌状態で連結され、可動フック部１１４は固定フック部１１２に対して相対移動が可能な状態となる。
【００５６】
ネジ１１７が締め付けられると、ネジ１１７は、頭部１１７ｂがベース部１１６に当接するまで軸部１１７ａが垂直片１１４ａに対して相対移動し、ベース部１１６と垂直片１１４ａとが固定される。よって、可動フック部１１４は固定フック部１１２に対して相対移動が不可能な固定された状態となる。
【００５７】
ベース部１１６の垂直片１１４ａから突出した部分にはパイプブラケット１１９の連結部１１９ｂが配置されて、ベース部側ボルト挿通孔１１６ｂとパイプブラケット側ボルト挿通孔１１９ｄ−１、１１９ｄ−２とを挿通するボルト１１８とナット１１８ａによって固定される。これにより、ベース部１１６とパイプブラケット１１９とが連結される。ベース部１１６とパイプブラケット１１９とを連結する際には、パイプブラケット１１９の係合部１１９ａを母屋フレーム１４に先に係合した状態で連結するとよい。
【００５８】
以上、天頂部用ブラケット１１０の構成について説明した。次に、天頂部用ブラケット１１０の中央レール２０−１への取付け手順について、図７を参照しながら説明する。図７は、前述のように、天頂部用ブラケット１１０に中央レール２０−１を取付ける手順を説明するための示す図であり、（ａ）は取り付ける前の状態を示す断面図であり、（ｂ）は固定フック部１１２に中央レール２０−１の一方の鍔部２２を係止した状態を示す側面図であり、（ｃ）は可動フック部１２４に中央レール２０−１の他方の鍔部２２を仮止めした状態を示す側面図であり、（ｄ）は天頂部用ブラケット１１０に中央レール２０−１を固定した状態を示す側面図である。
【００５９】
天頂部用ブラケット１１０は、図７（ａ）に示したように、中央レール２０−１が取り付けられる前は、ネジ１１７が弛められており、ネジ１１７の軸部１１７ａと可動フック部側ネジ螺合孔１１４ｂとの螺合によってネジ１１７と可動フック部１１４は一体化され、可動フック部１１４がベース部１１６に対して遊嵌状態になっている。このとき、可動フック部１１４は自重によって、頭部１１７ｂがベース部１１６に部分的に当接しており、固定フック部１１２及び可動フック部１１４で中央レール２０−１を保持する状態である第１状態となっている。まず、図７（ａ）の矢印Ａに示したように、中央レール２０−１の一方の鍔部２２を固定フック部１１２に係止させる。
【００６０】
次に、図７（ｂ）の矢印Ｂに示したように、中央レール２０−１を押し上げると、中央レール２０−１の他方の鍔部２２が可動フック部１１４を押し上げる。すると、可動フック部１１４はネジ１１７を支点として固定フック部１１２から離間するように揺動する。よって、固定フック部１１２及び可動フック部１１４は中央レール２０−１を受け入れる第２状態になる。
【００６１】
さらに中央レール２０−１を押し上げると、図７（ｃ）に示したように、他方の鍔部２２が可動フック部１１４の先端部を乗り越える。すると、可動フック部１１４は、遊嵌状態であるため、自重によって第１状態になるように固定フック部１１２に対して相対移動する。よって、可動フック部１１４は特別な操作を必要とすることなく他方の鍔部２２を係合する。この時点では、ネジ１１７が弛んだ状であるため、可動フック部１１４は、遊嵌状態であるため他方の鍔部２２は仮止め状態であるが、可動フック部１１４の自重によって仮止め状態が維持される。
【００６２】
最後に、図７（ｄ）に示したように、頭部１１７ｂがベース部１１６に当接するまでねじ込んでネジ１１７を締め付けて、ベース部１１６と垂直片１１４ａとを固定する。よって、固定フック部１１２及び可動フック部１１４が第１状態で固定されるため、中央レール２０−１が天頂部用ブラケット１１０に保持される。
【００６３】
以上、天頂部用ブラケット１１０について説明した。次に肩部用ブラケット１２０について説明する。
【００６４】
（肩部用ブラケット１２０）
まず、図８を参照しながら肩部用ブラケット１２０の構成について説明する。図８は、肩部用ブラケット１２０の構成を説明するための図であり、（ａ）は組み立てられた状態の肩部用ブラケット１２０の斜視図であり、（ｂ）は肩部用ブラケット１２０側面図であり、（ｃ）はベース部１２６がパイプブラケット１２９に対して傾いた状態を示す側面図である。
【００６５】
肩部用ブラケット１２０は、図８に示したように、保持対象である端部レール２０−２、２０−３の鍔部２２を協働して係止（保持）可能な固定フック部（第１保持部）１２２及び可動フック部（第２保持部）１２４と、固定フック部１２２及び可動フック部１２４の相対移動を可能に支持するベース部１２６と、を備える。固定フック部１２２及び可動フック部１２４は、端部レール２０−２、２０−３を係止している第１状態と、端部レール２０−２、２０−３を受け入れるために離間している第２状態との間で相対移動可能である。固定フック部１２２及び可動フック部１２４の少なくとも一方は、自重によって第１状態となるようにベース部１２６に支持されて構成される。
【００６６】
肩部用ブラケット１２０は、端部レール２０−２、２０−３を横から保持するための構成が中央レール２０−１を上から保持する天頂部用ブラケット１１０の構成とは相違している。すなわち、肩部用ブラケット１２０は、図８（ａ）に示したように、固定フック部１２２及び可動フック部１２４と、パイプブラケット１２９との連結角度が天頂部用ブラケット１１０とは、９０度異なっている。このように固定フック部１２２及び可動フック部１２４と、パイプブラケット１２９とを連結するために、肩部用ブラケット１２０ではベース部１２６の構成が天頂部用ブラケット１１０のベース部１１６とは相違している。
【００６７】
肩部用ブラケット１２０の固定フック部１２２、可動フック部１２４、ネジ１２７、ボルト１２８、ナット１２８ａ、パイプブラケット１２９は、天頂部用ブラケット１１０の固定フック部１１２、可動フック部１１４、ネジ１１７、ボルト１１８、ナット１１８ａ、パイプブラケット１１９と同様の構成であるため、説明を省略する。以下、ベース部１２６について説明する。
【００６８】
ベース部１２６は、図８（ｂ）に示したように、天頂部用ブラケット１１０のベース部１１６のような規制部１１６ｃは設けられておらず、一方の側縁から垂直方向にベース部側連結部１２６ｄが形成されている。ベース部側連結部１２６ｄは、パイプブラケット１２９の連結部１２９ｂと重なり合う大きさであり、ベース部側連結部１２６ｄには、天頂部用ブラケット１１０のベース部１１６に形成されているベース部側ボルト挿通孔１１６ｂと同様のベース部側ボルト挿通孔が形成されている。
【００６９】
連結部１２９ｂは、ベース部側連結部１２６ｄに内側から重なり合うように配置される。このような配置により、連結部１２９ｂとベース部１２６とは垂直に配置されることになる。そして、連結部１２９ｂとベース部側連結部１２６ｄとは、天頂部用ブラケット１１０と同様にボルト１２８とナット１２８ａとによって連結される。
【００７０】
ベース部１２６とパイプブラケット１２９とは、図８（ｃ）に示したように、角度調整自在に連結される。肩部用ブラケット１２０は、前述のようにアーチフレーム１２に連結されるため、アーチフレーム１２の角度によって取付け角度が異なることになるが、ベース部１２６とパイプブラケット１２９との角度調整することにより、端部レール２０−２、２０−３を水平状態に保持することができる。
【００７１】
以上、肩部用ブラケット１２０の構成について説明した。次に、肩部用ブラケット１２０の端部レール２０−２、２０−３への取付け手順について、図９を参照しながら説明する。図９は、前述のように、肩部用ブラケット１２０に端部レール２０−２、２０−３を取付ける手順を説明するための示す図であり、（ａ）は取り付ける前の状態を示す断面図であり、（ｂ）は固定フック部１２２に端部レール２０−２、２０−３の一方の鍔部２２を係止した状態を示す側面図であり、（ｃ）は可動フック部１２４に端部レール２０−２、２０−３の他方の鍔部２２を仮止めした状態を示す側面図であり、（ｄ）は肩部用ブラケット１２０に端部レール２０−２、２０−３を固定した状態を示す側面図である。
【００７２】
肩部用ブラケット１２０は、図９（ａ）に示したように、端部レール２０−２、２０−３が取り付けられる前は、ネジ１２７が弛められており、ネジ１２７の軸部１２７ａと可動フック部側ネジ螺合孔１２４ｂとの螺合によってネジ１２７と可動フック部１２４は一体化され、可動フック部１２４がベース部１２６に対して遊嵌状態になっている。よって、可動フック部１２４は自重によって下がって、垂直片１２４ａがベース部１２６に載置された状態となっている。この状態は、固定フック部１２２及び可動フック部１２４で端部レール２０−２、２０−３を保持する状態である第１状態である。まず、図９（ａ）の矢印Ｃに示したように、端部レール２０−２、２０−３の一方の鍔部２２を固定フック部１２２に係止させる。
【００７３】
次に、図９（ｂ）の矢印Ｄに示したように、端部レール２０−２、２０−３を回転させて、端部レール２０−２、２０−３の他方の鍔部２２で可動フック部１２４を押し上げる。すると、可動フック部１２４はネジ１２７を支点として固定フック部１２２から離間するように揺動する。よって、固定フック部１２２及び可動フック部１２４は端部レール２０−２、２０−３を受け入れる第２状態になる。
【００７４】
さらに端部レール２０−２、２０−３を回転させると、図９（ｃ）に示したように、他方の鍔部２２が可動フック部１２４の先端部を乗り越える。すると、可動フック部１２４は、遊嵌状態であるため、自重によって第１状態になるように固定フック部１２２に対して相対移動する。よって、可動フック部１２４は特別な操作を必要とすることなく他方の鍔部２２を係合する。この時点では、可動フック部１２４は、遊嵌状態であるため他方の鍔部２２は仮止め状態であるが、可動フック部１２４の自重によって仮止め状態が維持される。
【００７５】
最後に、図９（ｄ）に示したように、頭部１２７ｂがベース部１２６に当接するまでねじ込んでネジ１２７を締め付けて、ベース部１２６と垂直片１２４ａとを固定する。よって、固定フック部１２２及び可動フック部１２４が第１状態で固定されるため、端部レール２０−２、２０−３が肩部用ブラケット１２０に保持される。
【００７６】
なお、可動フック部１１４、１２４は先端をテーパ面として、レール２０の鍔部２２が当接したときに、先端部を乗り越え易くするようにしてもよい。
【００７７】
以上、本実施形態のブラケット１００の構成及び取付けの方法について説明した。次に、ブラケット１００を用いた園芸施設１０のカーテン３０の開閉動作について、図１０及び図１１を参照しながら説明する。図１０は、カーテン３０の開閉動作を説明するための図であり、（ａ）はカーテン３０が閉じられた状態を示す側面図であり、（ｂ）はカーテン３０の開閉途中の状態を示す側面図であり、（ｃ）はカーテン３０が開かれた状態を示す側面図である。図１１は、カーテン３０の開閉途中の状態であり、カーテン３０の一部が畳み込まれた状態を示す斜視図である。
【００７８】
（カーテン３０の開放動作）
カーテン３０が閉じているときは、図１０（ａ）に示したように、開閉側の端部の中央ランナー４０−１が園芸施設１０の奥行方向の手前側の中央レール２０−１の端部に位置している。カーテン３０を開けるときには、図１０（ａ）に示す操作手段５０の操作部５８を持って園芸施設１０の奥行方向の奥側に移動する。これにより、図１１に示したように、３つの牽引部５２、５４、５６の連結部が操作部５８に引っ張られて、３つの牽引部５２、５４、５６の一端がそれぞれ連結されている３つのランナー４０を一斉に園芸施設１０の奥行方向の奥側に向けて引っ張る。
【００７９】
よって、図１０（ｂ）に示したように、各ランナー４０がレール２０に沿って園芸施設１０の奥行方向に移動し、カーテン３０が園芸施設１０の奥行方向の奥側に向かって畳み込まれていく。このようにしてカーテン３０が開けられる。操作部５８を園芸施設１０の奥行方向にさらに引っ張ると、図１０（ｃ）に示したように、カーテン３０は、園芸施設１０の奥側に完全に畳み込まれる。
【００８０】
（カーテン３０の閉鎖動作）
次に、カーテン３０を閉じるときには、図１０（ｃ）に示す操作部５８を持って園芸施設１０の奥行方向の手前側に移動する。これにより、前述したカーテン３０を開放するときとは逆に、図１１に示したように、３つのランナー４０が一斉に園芸施設１０の奥行方向の手前側に向けて引っ張られる。このため、各ランナー４０がレール２０に沿って園芸施設１０の奥行方向に沿って移動していく。よって、図１０（ｂ）に示したように、畳み込まれていたカーテン３０が、展開していく。
【００８１】
（本実施形態の効果）
以上説明したように、本実施形態によれば、可動フック部１１４（１２４）は自重によって常に固定フック部１１２（１２２）と協働してレール２０を保持する状態である第１状態となるようベース部１１６（１２６）に支持されるため、レール２０を固定フック部１１２（１２２）と可動フック部１１４（１２４）との間に挿入するだけで仮止め状態で保持することができる。また、位置調整が必要なレール２０であっても、容易に位置調整を行うことができる。
【００８２】
また、可動フック部１１４（１２４）と一体的に形成される垂直片１１４ａ（１２４ａ）が、固定フック部１１２（１２２）から略垂直な方向に延在するベース部１１６（１２６）に遊嵌状態で連結されるため、少ない部品でレール２０を仮止め可能である。
【００８３】
また、仮止めした後にネジ１１７（１２７）を締めることでベース部１１６（１２６）と垂直片１１４ａ（１２４ａ）とを固定することができる。また、ネジ１１７（１２７）を緩めることによって、ベース部１１６（１２６）と垂直片１１４ａ（１２４ａ）との遊嵌状態を容易に実現することができる。
【００８４】
また、ベース部１２６とパイプブラケット１２９とを角度調整自在に連結することで、アーチフレーム１２の設置角度によってベース部１２６の向きを変更することで、端部レール２０−２、２０−３を水平に支持することができる。
【００８５】
以上、添付図面を参照しながら本発明の好適な実施形態について説明したが、本発明はかかる例に限定されないことは言うまでもない。当業者であれば、特許請求の範囲に記載された範疇内において、各種の変更例又は修正例に想到し得ることは明らかであり、それらについても当然に本発明の技術的範囲に属するものと了解される。
【００８６】
例えば、上記実施形態では、ブラケットを構成する２つの保持部のうち第１保持部を移動不能な固定フック部とし、第２保持部を可動する可動フック部としたが、本発明はこの例に限定されない。第１、第２保持部の少なくとも一方が、自重によって第１状態となるようにベース部に支持されるようにすればよいため、第１、第２保持部のうちのどちらが可動してもよく、また両方が可動してもよい。
【００８７】
また、上記実施形態では、第１保持部から略垂直な方向に延在するベース部と第２保持部と一体的に形成される垂直片とが遊嵌状態で連結されることで第１、第２保持部が相対移動可能である構成としたが、本発明はこの例に限定されない。例えば、ベース部及び垂直片の方向は第１保持部及び第２保持部から垂直でなくてもよく、また、垂直片が設けられず、第２保持部がベース部に直接連結されていてもよい。
【００８８】
また、上記実施形態では、ベース部と垂直片との間に設け、ベース部と垂直片とを遊嵌状態にしたり、固定したりする締結手段としてネジを用いたが、本発明はこの例に限定されない。例えば、ボルトとナットを組み合わせてもよい。
【００８９】
また、上記実施形態では、レールをブラケットに取付けるにあたって、一方の鍔部を先に固定フック部に係止させるようにしたが、本発明はこの例に限定されない。先に他方の鍔部を可動フック部を押しながら係止させ、次に一方の鍔部を固定フック部に係止させて仮止めする手順であってもよい。
【００９０】
また、上記実施形態では、ベース部にはパイプブラケットを角度調整自在に連結したが、本発明はこの例に限定されない。例えば、ベース部とパイプブラケットとの連結は角度調整自在ではなく、固定されていてもよい。また、例えば、取付先を窓枠などの平面とする場合には、ベース部にはパイプブラケットではなく、平板状の形状のものとしてもよい。
【００９１】
また、上記実施形態では、保持対象をレールとし、レールの鍔部を係止することとしたが、本発明はこの例に限定されない。保持対象はレールに限定されず、レールのような断面方形状の部材にも限定されない。また、第１、第２保持部が係止する部分はレールの鍔部に限定されず、レールの適宜部分を保持してもよい。
【００９２】
また、上記実施形態では、園芸施設のカーテン（遮蔽部材）を開閉可能に保持するレールを保持する例について説明したが、本発明はこれに限定されない。本発明は園芸施設以外で用いてもよく、また、カーテンレール以外のものを保持するようにしてもよく、例えば横型ブラインドやロールスクリーン等のブラインド、開閉型網戸、アコーディオンドアあるいはパーティション等に適用してもよい。
【００９３】
上記実施形態、応用例、変形例は、任意に組み合わせて実施することができる。
【符号の説明】
【００９４】
１０  園芸施設
１２  アーチフレーム
１４  母屋フレーム
２０、２０Ｌ、２０Ｒ  レール（支持部材）
２０ａ  下端部
２０−１  中央レール
２０−２、２０−３  端部レール
２２、２２Ｌ、２２Ｒ  鍔部
３０  カーテン
３２−１  中央開口部
３２−２、３２−３  端部開口部
４０  ランナー（案内部材）
４０−１  中央ランナー（案内部材）
４０−２、４０−３  端部ランナー（案内部材）
４２  中央ランナー用フック
４４  チェーン
４４ａ  環状部
４６  連結フック
５０  操作手段
５２、５４、５６  牽引部
５８  操作部
６０  レールジョイント
６２  鍔部支持部
６４  支持部連結部
１００ブラケット
１１０  天頂部用ブラケット
１１２、１２２  固定フック部（第１保持部）
１１４、１２４  可動フック部（第２保持部）
１１４ａ、１２４ａ  垂直片
１１４ｂ、１２４ｂ  可動フック部側ネジ螺合孔（締結手段）
１１４ｃ  規制部
１１６、１２６  ベース部
１１６ａ  ベース部側ネジ挿通孔
１１６ｂ  ベース部側ボルト挿通孔
１１６ｃ  規制部
１１７、１２７  ネジ（締結手段）
１１７ａ、１２７ａ  軸部
１１７ｂ、１２７ｂ  頭部
１１７ｃ  外れ止め
１１８  ボルト
１１８ａ  ナット
１１９、１２９  パイプブラケット（取付部材）
１１９ａ  係合部
１１９ａ−１  第１係合部
１１９ａ−２  第２係合部
１１９ｂ  連結部
１１９ｂ−１  第１連結部
１１９ｂ−２  第２連結部
１１９ｃ  ヒンジ
１１９ｄ−１、１１９ｄ−２  パイプブラケット側ボルト挿通孔
１２０  肩部用ブラケット
１２６ｄ  ベース部側連結部
【図１】
2018164639.tif 000003
【図２】
2018164639.tif 000004
【図３】
2018164639.tif 000005
【図４】
2018164639.tif 000006
【図５】
2018164639.tif 000007
【図６】
2018164639.tif 000008
【図７】
2018164639.tif 000009
【図８】
2018164639.tif 000010
【図９】
2018164639.tif 000011
【図１０】
2018164639.tif 000012
【図１１】
2018164639.tif 000013